(57)【要約】【課題】  緊急時に住戸内に設置されたインターホン機器により、居住者の操作を待たずに外部サーバ等から情報を入手して居住者に提供する集合住宅インターホンシステムを提供する。【解決手段】  制御機４に地震発生の緊急通報を発信する緊急通報機器６が接続され、緊急通報機器６から緊急通報を受信した制御機４は、居室親機２に警報を報音させるための警報信号を送信し、この警報信号を受信した居室親機２は警報を発すると共に、親機ＣＰＵ２５が警報信号の受信をトリガとして予め記憶しているＵＲＬにインターネットを介してアクセスしてコンテンツデータをダウンロードし、ダウンロードしたコンテンツをモニタ２２に表示する。【選択図】  図１
2014187631.tif 000002
【特許請求の範囲】
【請求項１】
集合住宅の集合玄関に設置され来訪者が居住者を呼び出して通話するための集合玄関機と、前記集合住宅の個々の住戸に設置されて前記来訪者からの呼び出しに応答するための居室親機と、前記集合玄関機及び前記居室親機をそれぞれ制御する制御機とを備えた集合住宅インターホンシステムであって、
地震発生の緊急通報を発信する緊急通報機器が前記制御機に接続されると共に、
前記制御機は、前記緊急通報機器から前記緊急通報を受信したら、前記居室親機に警報を報音させるための警報信号を送信する通報制御部を具備し、
前記居室親機は、前記警報信号の受信をトリガとして予め記憶しているＵＲＬ或いは前記警報信号により特定されたＵＲＬにアクセスし、コンテンツデータをインターネットプロトコルによりダウンロードする情報入手手段と、ダウンロードした前記コンテンツを表示する表示部とを有することを特徴とする集合住宅インターホンシステム。
【請求項２】
前記居室親機がアクセスするＵＲＬは、公衆通信ネットワークを介して通信が可能なサーバ内のＵＲＬであって、
前記サーバは、アクセスを許可するためのＩＰアドレス記憶部を有し、前記ＩＰアドレス記憶部には前記居室親機のＩＰアドレスが記憶されていることを特徴とする請求項１記載の集合住宅インターホンシステム。
【請求項３】
前記情報入手手段は、前記警報信号の受信をトリガとしてアクセスしたＵＲＬに対して、一定時間毎にアクセスを繰り返し、コンテンツを更新することを特徴とする請求項１又は２記載の集合住宅インターホンシステム。
【請求項４】
前記ＵＲＬのコンテンツを生成するコンテンツ生成手段は、集合住宅内のエレベータ制御部からエレベータ稼働情報を入手し、前記コンテンツとして前記エレベータ稼働情報を含む集合住宅内情報を有することを特徴とする請求項１乃至３の何れかに記載の集合住宅インターホンシステム。
【請求項５】
前記コンテンツ生成手段は、集合住宅のフロア毎に異なるＵＲＬでコンテンツを生成すると共に、前記居室親機は設置されたフロアに対応するＵＲＬを記憶し、
前記情報入手手段は、フロア毎に異なるＵＲＬにアクセスすることを特徴とする請求項４記載の集合住宅インターホンシステム。
【請求項６】
前記緊急通報機器が発信する緊急通報には特定のＵＲＬ情報が添付され、前記情報入手手段は、前記緊急通報に添付された特定のＵＲＬに対してアクセスし、コンテンツデータをダウンロードすることを特徴とする請求項１乃至３の何れかに記載の集合住宅インターホンシステム。
【発明の詳細な説明】
【技術分野】
【０００１】
本発明は、集合住宅において使用される集合住宅インターホンシステムに関し、詳しくは地震等の緊急事態発生時に外部から情報を入手して居住者に提供する機能を備えた集合住宅インターホンシステムに関する。
【背景技術】
【０００２】
従来から、インターホンシステムに外部のサーバに保存されている種々のコンテンツを閲覧する機能を備えたものがある。
例えば、特許文献１では、予め専用回線を介して外部サーバから定期的に特定の情報を入手して蓄積しておき、必要な時に取り出して表示させる機能に加え、蓄積されていない情報に関してはインターネットを介してサーバにアクセスして入手する機能を住戸機（居室親機）に備えた集合住宅インターホンシステムが開示されている。
【先行技術文献】
【特許文献】
【０００３】
【特許文献１】特開２０１０−１７７８１８号公報
【発明の概要】
【発明が解決しようとする課題】
【０００４】
上記特許文献１の構成の場合、居室に設置されているインターホン機器により居住者が要求するコンテンツを入手して表示することは可能であった。しかしながら、地震発生等の緊急時に、居住者が必要とする情報を居住者による取得操作を待たずに自動で入手して提供するなど、緊急時に外部コンテンツの情報をスピーディーに入手して提供することはなかった。
【０００５】
そこで、本発明はこのような問題点に鑑み、緊急時に住戸内に設置されたインターホン機器により、居住者の操作を待たずに外部サーバ等から情報を入手して居住者に提供する集合住宅インターホンシステムを提供することを目的とする。
【課題を解決するための手段】
【０００６】
上記課題を解決する為に、請求項１の発明は、集合住宅の集合玄関に設置され来訪者が居住者を呼び出して通話するための集合玄関機と、集合住宅の個々の住戸に設置されて来訪者からの呼び出しに応答するための居室親機と、集合玄関機及び居室親機をそれぞれ制御する制御機とを備えた集合住宅インターホンシステムであって、地震発生の緊急通報を発信する緊急通報機器が制御機に接続されると共に、制御機は、緊急通報機器から緊急通報を受信したら、居室親機に警報を報音させるための警報信号を送信する通報制御部を具備し、居室親機は、警報信号の受信をトリガとして予め記憶しているＵＲＬ或いは警報信号により特定されたＵＲＬにアクセスし、コンテンツデータをインターネットプロトコルによりダウンロードする情報入手手段と、ダウンロードしたコンテンツを表示する表示部とを有することを特徴とする。
この構成によれば、緊急通報機器から緊急通報を受信したら、この緊急通報をトリガとして特定のＵＲＬから情報をダウンロードして居室親機に表示するため、居住者自身が入手操作することなく緊急時に有益な情報を速やかに入手することができ、居住者の緊急時の対応に役立てることができ、慌てて危険な行動を取ることを防止できる。
【０００７】
請求項２の発明は、請求項１に記載の構成において、居室親機がアクセスするＵＲＬは、公衆通信ネットワークを介して通信が可能なサーバ内のＵＲＬであって、サーバは、アクセスを許可するためのＩＰアドレス記憶部を有し、ＩＰアドレス記憶部には居室親機のＩＰアドレスが記憶されていることを特徴とする。
この構成によれば、ダウンロード先のサーバは公衆通信ネットワークを介してアクセスするため、サーバを他の集合住宅インターホンシステムと共用させることができ、サーバに対するコストを削減できる。それでいて、公衆通信ネットワークを介してアクセスする構成であってもＩＰアドレスでアクセス許可するため、第三者にコンテンツを見られたり改変されるのを防止できる。
【０００８】
請求項３の発明は、請求項１又は２に記載の構成において、情報入手手段は、警報信号の受信をトリガとしてアクセスしたＵＲＬに対して、一定時間毎にアクセスを繰り返し、コンテンツを更新することを特徴とする。
この構成によれば、居室親機に表示される情報は、常時最新の情報にでき、居住者は精度の高い情報を継続して把握でき、安心できるし的確な行動を取ることができる。
【０００９】
請求項４の発明は、請求項１乃至３の何れかに記載の構成において、ＵＲＬのコンテンツを生成するコンテンツ生成手段は、集合住宅内のエレベータ制御部からエレベータ稼働情報を入手し、コンテンツとしてエレベータ稼働情報を含む集合住宅内情報を有することを特徴とする。
この構成によれば、エレベータ稼働情報を表示するため、居住者は避難ルートの判断に有益な情報を入手できる。
【００１０】
請求項５の発明は、請求項４に記載の構成において、コンテンツ生成手段は、集合住宅のフロア毎に異なるＵＲＬでコンテンツを生成すると共に、居室親機は設置されたフロアに対応するＵＲＬを記憶し、情報入手手段は、フロア毎に異なるＵＲＬにアクセスすることを特徴とする。
この構成によれば、それぞれのフロアに対応するコンテンツが生成されるため、各フロアに的確な情報を提供することが可能となる。例えば、フロア毎に感震センサを設ければ、上層のフロアと下層のフロアで震度が異なるような場合でも、精度の高い情報を個々の居室親機に通知でき、居住者の避難等に役立てることができる。
【００１１】
請求項６の発明は、請求項１乃至３の何れかに記載の構成において、緊急通報機器が発信する緊急通報には特定のＵＲＬ情報が添付され、情報入手手段は、緊急通報に添付された特定のＵＲＬに対してアクセスし、コンテンツデータをダウンロードすることを特徴とする。
この構成によれば、警報信号の内容に応じてＵＲＬを変更することが可能となり、的確な情報の提供が可能となる。また、警報信号が発生していない状態ではアクセス先のＵＲＬを閉鎖しておくことも可能であり、データ管理がし易い。
【発明の効果】
【００１２】
本発明によれば、緊急通報機器から緊急通報を受信したら、この緊急通報をトリガとして特定のＵＲＬから情報をダウンロードして居室親機に表示するため、居住者自身が入手操作することなく緊急時に有益な情報を入手することが可能となる。
【図面の簡単な説明】
【００１３】
【図１】本発明に係る集合住宅インターホンシステムの一例を示す構成図であり、主要機器を回路ブロック図で示している。
【図２】異常発生時に居室親機のモニタに表示される情報の説明図であり、（ａ）はコンテンツ取得中の表示状態、（ｂ）はダウンロードしたコンテンツを表示した状態、（ｃ）はダウンロードしたコンテンツの表示の他の例を示している。
【発明を実施するための形態】
【００１４】
以下、本発明を具体化した実施の形態を、図面を参照して詳細に説明する。図１は本発明に係る集合住宅インターホンシステムの構成図であり、１は集合住宅のエントランス等に設置されて来訪者が居住者を呼び出して通話するための集合玄関機、２は集合住宅の各住戸内に設置されて呼び出しを受けた居住者が応答するための居室親機、３は集合住宅の管理人室等に設置されて居室親機２との間の呼び出し／応答を実施するための管理室親機、４は集合玄関機１、居室親機２、管理室親機３の間の呼出信号、通話信号、警報信号等の送信を制御する制御機、５は居室親機２がアクセスするサーバ、６は地震発生情報を入手する緊急通報機器である。
【００１５】
集合玄関機１、管理室親機３は、それぞれ伝送線Ｌ１．Ｌ２を介して制御機４に接続され、居室親機２は親機幹線Ｌ３を介して制御機４に接続されている。また、各居室親機２は、集合住宅内に配設されたＬＡＮ１０及び公衆通信ネットワークＮを介してサーバ５に接続されている。更に、制御機４は伝送線Ｌ３を介して緊急通報機器６に接続され、居室親機２と独立して公衆通信ネットワークＮを介してサーバ５に接続されている。
尚、居室親機２とサーバ５との間の通信は、ＴＣＰ／ＩＰ等の一般的なインターネットプロトコルが使用される。また、緊急通報機器６は、例えば気象庁が発する緊急地震速報を受信する緊急地震速報受信装置が使用される。
【００１６】
集合玄関機１は、居室を選択して呼出操作する操作部１１、通話するためのマイク１２及びスピーカ１３、来訪者を撮像するカメラ１４等を備えている。
【００１７】
居室親機２は、呼び出しに応答するための通話ボタン２１、集合玄関機１から伝送されたカメラ１４の撮像映像や各種情報を表示するモニタ２２、警報音の報音や呼び出しに応答するための親機音響部２３、警報発生時にアクセスするＵＲＬ等を記憶する記憶部２４、居室親機２を制御する親機ＣＰＵ２５、制御機４と通信すると共にサーバ５と通信するための親機ＩＦ２６等を備えている。尚、記憶部２４に記憶されたＵＲＬは、集合住宅のフロア毎に異なり、各フロアに対応するコンテンツを入手するよう構成されている。
【００１８】
制御機４は、集合玄関機１と通信する玄関ＩＦ４１、管理室親機３と通信する管理ＩＦ４２、居室親機２と通信する居室ＩＦ４３、緊急通報機器６と通信する外部ＩＦ４４、公衆通信ネットワークＮに接続する外部通信ＩＦ４５、制御機全体を制御する制御機ＣＰＵ４６等を備えている。
【００１９】
サーバ５は、集合住宅外に設置され、集合住宅の各種情報（例えば、エレベータの動作情報、受水槽の水量情報等）を別途設置されているマンション診断装置７から入手して居室親機２がアクセスするＵＲＬのコンテンツ作成する。またサーバ５は、アクセスを受け付けるためのＩＰアドレスを記憶するＩＰアドレス記憶部５１を有している。  
【００２０】
マンション診断装置７は、集合住宅内に設置されたエレベータを制御するエレベータコントローラ７ａ、個々の住戸に飲料水を供給する受水槽（に設けられた水量センサ）７ｂ、集合住宅の各フロア等に設置された感震センサ７ｃ等が接続されており、地震発生を受けて一定時間間隔で情報の収集を開始し、エレベータの動作状況、飲料水の状況、個々のフロアの震度等の情報等を出力する。
このマンション診断装置７は集合住宅毎に設置され、サーバ５は周辺の集合住宅に設置されたマンション診断装置７の情報を公衆通信ネットワークＮを介して収集し、緊急時に提示するコンテンツを生成する。
生成されるコンテンツは、集合住宅のフロアごとに作成され、ｈｔｍｌデータ、或いは画像データ（ＪＰＥＧデータ）として保存される。
【００２１】
上記構成の集合住宅インターホンシステムの動作について、次に説明する。但し、来訪者が集合玄関機１を操作して住戸を選択して居住者を呼び出す動作、居室親機２が呼び出しを報音して居住者が呼び出しに応答する動作については従来と同様であるため説明を省略し、ここでは地震が発生した緊急時の動作を中心に説明する。
地震発生を受けて緊急通報機器６が地震発生の情報を気象庁等から受信すると、緊急通報機器６から制御機４に緊急通報である地震発生情報が送信される。この情報を受信した制御機ＣＰＵ４６は、全ての居室親機２，２，・・に対して警報信号を生成して一斉送信する。
【００２２】
警報信号を受信した居室親機２は、地震発生の警報を報音する。そして、親機ＣＰＵ２５が記憶部２４に記憶されているＵＲＬを読み取り、ＬＡＮ１０、公衆通信ネットワークＮを介してサーバ５にコンテンツの取得要求を行なう。このとき、多数の居室親機２，２，・・が同時にコンテンツの取得要求を行なうことから、コンテンツの伝送遅れが発生する可能性があるため、コンテンツの取得完了までは親機ＣＰＵ２５の制御によりモニタ２２に図２（ａ）に示すような情報取得中である旨の画面を表示する。この画像は記憶部２４に記憶されている。
【００２３】
居室親機２からコンテンツ取得要求を受信したサーバ５は、当該コンテンツ取得要求が正当な居室親機２からのものであるかどうかを居室親機２のＩＰアドレスで判断し、正しいＩＰアドレスからのコンテンツ取得要求であれば、コンテンツのダウンロードを許可する。
親機ＣＰＵ２５は、コンテンツの取得が完了したら、取得したコンテンツをモニタ２２に表示する。図２（ｂ）は取得したｗｅｂページ等をモニタ２２に表示した画面を示している。図２（ｂ）に示すように、コンテンツは集合住宅のフロア毎（階毎）に生成され、フロアの震度情報、受水槽の状況、エレベータの状況等が表示される。
また、これらの情報は、例えば３秒等の一定の時間間隔でマンション診断装置７の情報を収集して更新され、その後異常発生の通知がなく受水槽等に異状がないと判断されたら、サーバ５はコンテンツを図２（ｃ）のように変更し、災害が発生していない旨を通知する。この表示により、居住者は安全な状態にあることを認識できる。
【００２４】
居室親機２がこのような表示を行うことにより、例えば図２（ｂ）の表示から居住者は水道の使用量に注意すれば直ちに避難する必要がないことを知ることができるし、図２（ｃ）の表示から余計な不安を払拭することができる。
但し、警報信号受信時はモニタ２２にサーバ５から取得したコンテンツを表示するが、モニタ２２には集合玄関機１のカメラ１４で撮像した来客の映像表示や、火災発生時の警報表示等も行うため、これら呼び出しの発生等コンテンツ以外の表示要求が発生した場合には、コンテンツ表示よりカメラ１４の撮像映像や火災警報の表示が優先される。
【００２５】
このように、緊急通報機器６から緊急通報を受信したら、この緊急通報をトリガとして特定のＵＲＬから情報をダウンロードして居室親機２に表示するため、居住者自身が入手操作することなく緊急時に有益な情報を入手することができ、居住者の緊急時の対応に役立てることができ、慌てて危険な行動を取ることを防止できる。
また、ダウンロード先のサーバ５は公衆通信ネットワークＮを介してアクセスするため、サーバ５を他の集合住宅インターホンシステムと共用させることができ、サーバ５に対するコストを削減できる。それでいて、公衆通信ネットワークＮを介してアクセスする構成であってもＩＰアドレスでアクセス許可するため、第三者にコンテンツを見られたり改変されるのを防止できる。
更に、エレベータ稼働情報を表示するため、居住者は避難ルートの判断に有益な情報を入手できる。
また、フロア毎に異なるコンテンツにできるため、各フロアに的確な情報を提供することが可能となる。例えば、フロア毎に感震センサを設ければ上層のフロアと下層のフロアで震度が異なるような場合でも、精度の高い情報を個々の居室親機に通知でき、居住者の避難等に役立てることができる。
また、居室親機２に表示される情報は、更新されることで常時最新の情報にでき、居住者は精度の高い情報を継続して把握でき、安心できるし的確な行動を取ることができる。
【００２６】
尚、構造ヘルスモニタリング（ＳＨＭ：Structural Health Monitoring）が構築されている集合住宅においては、ＳＨＭにより解析された結果をサーバ５が保存し、上記表示に加えて居室親機２に表示させても良い。
また、上記実施形態では個々の居室親機２が異常発生時（警報信号受信時）にアクセスするＵＲＬを記憶しているが、制御機４に記憶させて警報信号の送信に連動させてＵＲＬ情報を各居室親機２に送信しても良い。この場合、警報信号の内容に応じてＵＲＬを変更することが可能となり、的確な情報の提供が可能となる。また、警報信号が発生していない状態ではアクセス先のＵＲＬを閉鎖しておくことも可能であり、データ管理がし易くなるメリットがある。
また、指定されたＵＲＬからコンテンツデータをダウンロードする際に、居室親機２がＬＡＮ１０及び公衆通信ネットワークＮを介してサーバ５にアクセスするものであるが、図１では予備回線として制御機４が別途公衆通信ネットワークＮを介してサーバ５にアクセス可能に構成されており、ＬＡＮ１０等に不具合が生じてＵＲＬにアクセスできない場合は、制御機４を経由してアクセス可能となっている。
【符号の説明】
【００２７】
１・・集合玄関機、２・・居室親機、４・・制御機、５・・サーバ（コンテンツ生成手段）６・・緊急通報機器、１０・・ＬＡＮ、２２・・モニタ（表示部）、２４・・記憶部、２５・・親機ＣＰＵ（情報入手手段）、４６・・制御機ＣＰＵ、５１・・ＩＰアドレス記憶部、Ｎ・・公衆通信ネットワーク。
【図１】
2014187631.tif 000003
【図２】
2014187631.tif 000004